(57)【要約】      （修正有）【課題】自動車のシートにしっかり固定でき、しかも装着時の見映えも良好であるソファータイプの自動車用シートカバーを提供する。【解決手段】自動車のシートに直接取り付けられる面ファスナーＡ面２付きカバー１と、面ファスナーＡ面付きカバーの面ファスナーＡ面と係合する面ファスナーＢ面４を有するソファーカバーとからなる自動車用シートカバーであって、面ファスナーＡ面が着席者側になるように面ファスナーＡ面付きカバーをシートに被せて固定し、次いでソファーカバー３の面ファスナーＢ面が面ファスナーＡ面付きカバーの面ファスナーＡ面と係合するようにソファーカバーを面ファスナーＡ面付きカバーの上に取り付けることによって、ソファーカバーをシート上に固定して形成するように構成したことを特徴とする自動車用シートカバー。【選択図】図３
0003130634.tif 000002
【実用新案登録請求の範囲】
【請求項１】
自動車のシートに直接取り付けられる面ファスナーＡ面付きカバーと、前記面ファスナーＡ面付きカバーの面ファスナーＡ面と係合する面ファスナーＢ面を有するソファーカバーとからなる自動車用シートカバーであって、前記面ファスナーＡ面が着席者側になるように前記面ファスナーＡ面付きカバーをシートに被せて固定し、次いで前記ソファーカバーの面ファスナーＢ面が前記面ファスナーＡ面付きカバーの面ファスナーＡ面と係合するように前記ソファーカバーを前記面ファスナーＡ面付きカバーの上に取り付けることによって、前記ソファーカバーをシート上に固定して形成するように構成したことを特徴とする自動車用シートカバー。
【請求項２】
前記ソファーカバーが、自動車のシートの背もたれ部及び座部を完全に覆い、かつクッション性を有する素材から形成されていることを特徴とする請求項１に記載の自動車用シートカバー。
【請求項３】
前記面ファスナーＡ面付きカバーが、面ファスナーＡ面を背もたれ部及び座部の中央に有することを特徴とする請求項１又は２に記載の自動車用シートカバー。
【請求項４】
前記ソファーカバーが、自動車のシートのヘッドレストの２本のシャフトを通すための穴を有することを特徴とする請求項１〜３のいずれかに記載の自動車用シートカバー。
【請求項５】
ヘッドレストの２本のシャフトを通すための穴を有し、かつ前記ソファーカバーと同じ生地表面を有するヘッドレストカバーをさらに含むことを特徴とする請求項１〜４のいずれかに記載の自動車用シートカバー。
【考案の詳細な説明】
【技術分野】
【０００１】
本考案は、自動車のシートにしっかりと固定できるソファータイプの自動車用シートカバーに関する。
【背景技術】
【０００２】
従来、自動車用シートカバーは、シートの汚れ防止や表面の色柄等の趣味性の実現のために、多数のデザインのものが提案されている。そして、最近では、自動車の室内でも家のリビングのような快適な空間を得たいという要求から、ソファータイプの厚手の生地を用いた自動車用シートカバーが提案されている。
【０００３】
これらのソファータイプの自動車用シートカバーは、厚手の生地から作られているため、そのままシートに被せても、専用品でない限り、ぴったりと適合せず、伸縮性のゴムをシートの周囲に巻回するか又はシートへフック部材を引っ掛けることによってシートに取り付けられていた。従って、従来のソファータイプの自動車用シートカバーは、伸縮性ゴムやフック部材の存在により見映えが悪いだけでなく、長時間着座するとシートカバーが当初の位置から少しずつずれていくという問題があった。
【考案の開示】
【考案が解決しようとする課題】
【０００４】
本考案は、かかる従来技術の現状に鑑み創案されたものであり、その目的は、自動車のシートにしっかり固定でき、しかも装着時の見映えも良好であるソファータイプの自動車用シートカバーを提供することにある。
【課題を解決するための手段】
【０００５】
本考案者は、かかる目的を達成するために、ソファータイプのシートカバーのシートへの固定方法について鋭意検討した結果、最初にシートに被せる薄手のシートカバーとその上に被せるソファータイプの厚手のシートカバーを用意し、これらを面ファスナーで接続することにより、良好な外観でソファータイプのシートカバーをシートにしっかりと固定できることを見出し、本考案の完成に至った。
【０００６】
即ち、本考案は、自動車のシートに直接取り付けられる面ファスナーＡ面付きカバーと、前記面ファスナーＡ面付きカバーの面ファスナーＡ面と係合する面ファスナーＢ面を有するソファーカバーとからなる自動車用シートカバーであって、前記面ファスナーＡ面が着席者側になるように前記面ファスナーＡ面付きカバーをシートに被せて固定し、次いで前記ソファーカバーの面ファスナーＢ面が前記面ファスナーＡ面付きカバーの面ファスナーＡ面と係合するように前記ソファーカバーを前記面ファスナーＡ面付きカバーの上に取り付けることによって、前記ソファーカバーをシート上に固定して形成するように構成したことを特徴とする自動車用シートカバーである。
【０００７】
本考案の自動車用シートカバーの好ましい態様では、前記ソファーカバーが、自動車のシートの背もたれ部及び座部を完全に覆い、かつクッション性を有する素材から形成され、前記面ファスナーＡ面付きカバーが、面ファスナーＡ面を背もたれ部及び座部の中央に有し、前記ソファーカバーが、自動車のシートのヘッドレストの２本のシャフトを通すための穴を有し、ヘッドレストの２本のシャフトを通すための穴を有しかつ前記ソファーカバーと同じ生地表面を有するヘッドレストカバーがさらに含まれる。
【考案の効果】
【０００８】
本考案の自動車用シートカバーは、シートに取り付けられた薄手のシートカバーに面ファスナーを介してソファータイプのシートカバーを装着しているので、良好な外観でしっかりと固定された、リビング感覚のソファーシートを自動車内に実現することができる。
【考案を実施するための最良の形態】
【０００９】
本考案の自動車用シートカバーの一例を図面を用いて説明するが、本考案はこれに限定されない。
【００１０】
本考案の自動車用シートカバーは、最初に自動車のシートに直接取り付けられるカバー１と、その取り付けられたカバー１の上に装着されるソファーカバー３とから構成されるものである。図１は、本考案の自動車用シートカバーのカバー１をシートに取り付けた状態を示す。カバー１は、従来のシートカバーと同様の薄手の素材から形成されるものであり、カバー１の着席者側の背もたれ部及び座部の中央には、図１の斜線で示すように、面ファスナーの一方の面（Ａ面）２が設けられている。カバー１は、シートへの取り付け時には、図１に示すように面ファスナーＡ面２が着席者側になるようにシートに密着して被せられ固定される。
【００１１】
図２（ａ），（ｂ）はそれぞれ、ソファーシート２の着席者側の面及びシート側の面を示す。ソファーカバー３は、シートの背もたれ部及び座部を完全に覆う大きさの平面的なものであり、クッション性を有するため、１０ｍｍ〜１００ｍｍの厚さを有する。図２（ａ）に示すように、ソファーカバー３は、カバー１の上に置かれたときにカバー１の面ファスナーＡ面２と係合する面ファスナーＢ面４をシート側の面に有する。また、ソファーカバー３にはシートの背もたれ部とヘッドレストの間の装着が適切に行なえるように、ヘッドレストの２本のシャフトを通すための穴５が設けられている。
【００１２】
ソファーカバー３は、インテリアソファーと同様の素材から形成され、例えば表面には合成皮革などのレザー地又はスエード地、ビニール地、ポリエステル地、ムートン地などの様々な生地を使用することができる、クッション部にはウレタンを使用することができる。また、ソファーカバー３の通気性を向上するために、通気性の良い綿生地をシート側の面に設けることができる。なお、カバー１の面ファスナーＡ面２とソファーカバー３の面ファスナーＢ面４は、互いにフック面とループ面を構成して脱着可能なものであり、例えばマジックテープやベルクロ型ファスナーを使用することができる。
【００１３】
本考案の自動車用シートカバーは、カバー１とソファーカバー３以外に、シートの枕部を覆うヘッドレストカバー６も備えることができる。ヘッドレストカバー６は、デザインの統一性のため、ソファーカバー３の表面と同じ生地表面から形成され、ヘッドレストへの固定のため、ヘッドレストの２本のシャフトを通すための穴を有する。ヘッドレストカバー６は、ソファーカバー３と異なり、別体のカバーを使用せずにヘッドレストに直接被せられて装着される。
【００１４】
本考案の自動車用シートカバーのシートへの取り付け方法としては、まず図１に示すように、カバー１をその面ファスナーＡ面２が着席者側になるようにシートに被せて固定し、次いで図３に示すように、ソファーカバー３をその面ファスナーＢ面４が面ファスナーＡ面２と係合するようにカバー１の上に取り付けることによって行なうことができる。なお、シートの枕部については、ヘッドレストをいったん外して、図４に示すように、ソファーカバー３の穴５にヘッドレストのシャフトを通すことによって固定することができる。シートの枕部のカバーは、ヘッドレストカバー６の穴にヘッドレストのシャフトを通し、ヘッドレストにヘッドレストカバー６を被せることによって固定することができる。
【産業上の利用可能性】
【００１５】
本考案の自動車用シートカバーは、自動車内にリビング感覚のソファーシートを好適に実現することができるので、自動車産業において極めて有用である。
【図面の簡単な説明】
【００１６】
【図１】本考案の自動車用シートカバーの面ファスナーＡ面付きカバーをシートに取り付けた状態を示す概略図である。
【図２ａ】本考案の自動車用シートカバーのソファーシートの着席者側の面を平らな状態で示す概略図である。
【図２ｂ】本考案の自動車用シートカバーのソファーシートのシート側の面を平らな状態で示す概略図である。
【図３】本考案の自動車用ソファーシートを面ファスナーを介してカバーに取り付けようとする状態を示す概略図である。
【図４】本考案の自動車用シートカバーの枕部付近の取り付け状態を示す概略図である。
【符号の説明】
【００１７】
１  カバー
２  面ファスナーＡ面
３  ソファーシート
４  面ファスナーＢ面
５  穴
６  ヘッドレストカバー
【図１】
0003130634.tif 000003
【図２ａ】
0003130634.tif 000004
【図２ｂ】
0003130634.tif 000005
【図３】
0003130634.tif 000006
【図４】
0003130634.tif 000007